(57)【特許請求の範囲】
【請求項１】
夫々が別体となっていて親指上半部を覆うことができる親指用先芯と、四指上半部を覆うことのできる四指用先芯とをアッパーの爪先部に装填したものであって、上記のうち少なくとも一方の先芯の指股側立上り壁の後方端に上端及び下端を残しその中間部を抉り取った状態の切欠き部を形成した先芯を用いることを特徴とする地下たび。
【請求項２】
夫々が別体となっていて親指上半部を覆うことができる親指用先芯と、四指上半部を覆うことのできる四指用先芯とからなり、これらのうち少なくとも一方の先芯の指股側立上り壁の後方端に上端及び下端を残しその中間部を抉り取った状態の切欠き部を形成したことを特徴とする地下たびに用いる先芯。
【請求項３】
切欠き部が略三角形状であることを特徴とする請求項１又は２に記載の地下たび又はこれに用いる先芯。
【請求項４】
切欠き部が略半長円形状であることを特徴とする請求項１又は２に記載の地下たび又はこれに用いる先芯。
【請求項５】
切欠き部が略台形状であることを特徴とする請求項１又は２に記載の地下たび又はこれに用いる先芯。
【請求項６】
切欠き部を形成する立上り壁端縁に厚肉部を設けたことを特徴とする請求項１ないし５のいずれかに記載の地下たび又はこれに用いる先芯。
【請求項７】
少なくとも切欠き部周辺部にシート片を貼着させたことを特徴とする請求項１ないし６のいずれかに記載の地下たび又はこれに用いる先芯。
【請求項８】
後端部を楔状に薄肉化させた先芯を用いることを特徴とする請求項１ないし７のいずれかに記載の地下たび又はこれに用いる先芯。
【発明の詳細な説明】
【０００１】
【産業上の利用分野】
本発明は、土木、建築現場等において使用する地下たび及びこれに用いる先芯に関するものである。
【０００２】
【従来の技術】
地下たびは、一般に綿布で縫製されたアッパーに、ゴム又は合成樹脂製の接地底を取付けた構成からなっており、爪先に指股が設けられ親指部と四指部とを別々に動かすことができると共に、足にフィットさせることができ、しかも柔軟な接地底を用いているため、足の動きに自由度があり、接地感覚もよく、軽快に履用できる特徴を有している。
【０００３】
ところで、地下たびは上述したように軽快性の要求からアッパーが布製となっているため、履用中に爪先部分に器物が落下した場合、爪先部を損傷する懸念が残されていた。
このため、爪先部分を落下物から保護する目的で、この部分に金属製でキャップ状の先芯を装填することもなされているが、親指部と四指部とを覆う別々の先芯を装填すると、特に地下たびは指股があるため、この部分が窮屈になり、指が擦れたり、当ったりすることがあってこの改善が望まれていた。
【０００４】
この点を解決する手段として、実公昭３６―３２４５９号公報に示すような地下足袋が提案されている。この地下足袋では親指と四指とに分かれ、指又内面に傾斜切口を有し、かつ上面にもり上がり突起面を有する鋼板製足指覆を挟着し、指又部分の底ゴム外被と中敷とを縫合させたものである。しかしこの場合の鋼板製足指覆では、指股内面を上から下にかけて傾斜切口を設けているため、この部分が上辺に対し下辺の部分が極端に小さくなっており、上からの荷重に対し不安定で、内側に倒れ込む虞があり、使用中に足指を圧迫してしまう懸念があった。このような観点から、この提案における鋼板製足指覆では上面にもり上がり突起面を設けたり、足袋に挟着する際指又部分において底ゴム外被と中底とを縫合しなければならなかったものと見られる。
【０００５】
【発明が解決しようとする課題】
本発明は上記の状況に鑑み、爪先部のとりわけ指股部における指の接触や摩擦を極力生じないようにし、しかも特別な縫合を施す必要がなく、かつ爪先の保護機能を維持しつつ構造が簡易で制作の容易な地下たび及びこれに用いる先芯について検討し、本発明に到達したものである。
【０００６】
【課題を解決するための手段】
すなわち、本発明の要旨とするところは、夫々が別体となっていて親指上半部を覆うことができる親指用先芯と、四指上半部を覆うことのできる四指用先芯とをアッパーの爪先部に装填したものであって、上記のうち少なくとも一方の先芯の指股側立上り壁の後方端に上端及び下端を残しその中間部を抉り取った状態の切欠き部を形成した先芯を用いることを特徴とする地下たびにある。
また本発明は、夫々が別体となっていて親指上半部を覆うことができる親指用先芯と、四指上半部を覆うことのできる四指用先芯とからなり、これらのうち少なくとも一方の先芯の指股側立上り壁の後方端に上端及び下端を残しその中間部を抉り取った状態の切欠き部を形成したことを特徴とする地下たびに用いる先芯も要旨とするものである。
【０００７】
【発明の実施の形態】
以下、本発明の実施の形態を実施例として示す図面に従って説明する。
図１は本発明の地下たびの例を示しており、綿布等を縫製してなるアッパー１にゴム又は合成樹脂からなる接地底２を縫着、接着又は両者の併用によって取付けてなっている。なお、図中３はコハゼ、４はコハゼ掛糸であり、また１Ａはアッパーの表布、１Ｂは裏布、１Ｃは中底、１Ｄ及び１Ｅは爪先補強布及び踵補強布を夫々示している。
【０００８】
本発明は、上記の如く構成された地下たびにおいて、夫々が別体となっていて親指Ａ上半部を覆うことのできる親指用先芯５と、四指Ｂ上半部を覆うことのできる四指用先芯６とをアッパー１の爪先部、すなわち図示の例においては表布１Ａと爪先補強布１Ｄとの間に挿入し、必要に応じて接着剤を介して装着したものである。そしてこの実施例に用いている２つの先芯５、６は、その指股側立上り壁の後方端に、上端Ｘ及び下端Ｙを残しその中間部を略三角形状に抉り取った状態の切欠き部５Ａ、６Ａを形成したものを用い、相互の切欠き部５Ａ、６Ａを対設させて爪先部に装填させてなっている。
【０００９】
本発明では上記のような独特の形状の先芯５、６を使用しているため、地下たびを履いて足先が指股に達した際に、切欠き部５Ａ、６Ａによりこの部分に壁がないこととなり、みだりに接触或いは摩擦したり、指が当ったりすることがなくなる。そしてこの切欠き部５Ａ、６Ａの外側は一般の地下たびの生地と同じ構成になっているため、接触、摩擦しても指を擦ったり、傷つけたりすることがなくなる。そして本発明で用いる先芯５Ａ、６Ａの指股側立上り壁後方端の上端Ｘ及び下端Ｙは、その中間を抉り取っているものの当初の略垂直位置を保っているため、上方から荷重が加わっても安定していてみだりに傾いたり倒れこんだりすることがない。この点上述した従来の提案の鋼板製足指覆では、下端が直下位置に存在しないため、荷重により傾いたり安定を欠くことになってしまう。なお、本発明の先芯５Ａ、６Ａではその下端Ｙが存在するが、足指の外面は外側に向かって膨出しているため、この下端Ｙが指に及ぼす影響はほとんど生じない。
【００１０】
上記の実施例では、親指用先芯５及び四指用先芯６の両方の指股側立ち上がり壁に切欠き部５Ａ、６Ａを形成したものを用いているので、親指及び四指について対処し得るが、場合によってはこの切欠き部は、必要とされるいずれか一方の先芯にのみ設けるようにしても構わない。
【００１１】
本発明に用いる先芯５、６は一般的に用いられているものと同様、合成樹脂、ＦＲＰ、各種金属の材料からなるものが使用でき、通常は図３に示すように下端に折返し部５Ｂを設けて成形する。上記の切欠き部５Ａ、６Ａは、これらの材料を用いて先芯５、６を成形する際に同時に成形させることが望ましい。なおこの切欠き部５Ａ、６Ａの形状は、図示する如く略三角形状のほか、図６（Ａ）に示す略半長円形状、図６（Ｂ）に示す半長円を変形した形状、図６（Ｃ）に示す半円形状或いは図６（Ｄ）に示す略台形状にすることができる。また、この切欠き部を、親指用と四指用の双方に設ける場合、その切欠き部の形状は互いに同一形状でもよいが、相互に異なる形状にすることもできる。
【００１２】
なお本発明に用いる先芯５、６は、その指股側立上り壁に切欠き部５Ａ、６Ａを形成しているため、強度低下が懸念されるときには、図７に示すように立上り壁端縁に肉厚部５Ｃを設け、これによりこの部分の剛性をもたせて強度向上を図ることもできる。すなわち図７のように、切欠き部５Ａ、６Ａを設けた立上り壁端縁に肉厚部５Ｃを設けるが、これは図８（Ａ）のように外側に、または同図（Ｂ）のように内側に或いは同図（Ｃ）のように両側に設けるようにしてもよい。
さらにこの例の先芯５、６の後端５Ｃを図３のように楔状に薄肉化させると、爪先に先芯５、６を装填したときに、アッパー１の対応個所に必要以上の盛り上がりによる段差を生じることがなく、したがって器物との接触を防ぎかつ外観を向上させることができる。
【００１３】
また上記と同じ目的で先芯の強度向上を図る手段として、図９及び図１０のように少なくとも切欠き部５Ａ周辺部にシート片７を貼着することができる。すなわち図９は、先芯５の切欠き部５Ａを含む指股側立上り壁の略全面に、シート片７を貼着した例を示している。なお図９（Ｂ）はその断面を示している。この例においては、切欠き部５Ａ及び切欠き部５Ａ周辺部を含む指股側立上り壁の略全面にシート片７として柔軟性のある天然或いは合成繊維布や炭素繊維クロスを用いることが好ましい。
このようにすると、先芯５（６）に加えられた荷重によって変形を受ける効果があり、結局この部分が補強されることなり、しかも指股部における指の接触や摩擦を避けることができる。
【００１４】
図１０は上記の例の変形例を示すもので、同（Ａ）が切欠き部５Ａの周辺部にシート片７を貼着した例、同（Ｂ）が切欠き部５Ａを周辺部を含み指股側立上り壁のほとんどの部分にまでシート片７を貼着した例である。
これらの例では、切欠き部５Ａにシート片７が位置しないことになるので、金属、合成樹脂、ＦＲＰ等硬質材料からなるシート片７を用いることができ、これによってこの部分の補強効果を発揮させることができる。
なお上記の図９及び図１０の例において、シート片７を局部的あるいは全面的に２枚以上を重ねて貼着し、さらに補強させることも可能である。
【００１５】
【発明の効果】
本発明は以上詳述した如き構成からなるものであるから、爪先部とりわけ指股部における接触や摩擦を極力生じないようにすることができ、しかも特別な縫合を施す必要がなく、したがって爪先の保護機能を維持しつつ構造が簡易で製作の容易な地下たび及びこれに用いる先芯を提供しうる利点がある。
【図面の簡単な説明】
【図１】本発明の一実施例を示す地下たびの斜視図である。
【図２】図１の一部を示す部分的な正面図である。
【図３】図１のIII―IIIの拡大断面図である。
【図４】本発明の２つの先芯を示す斜視図である。
【図５】本発明の一方の先芯を示す側面図である。
【図６】（Ａ）〜（Ｄ）は本発明の他の先芯の例を示す側面図である。
【図７】本発明に用いる先芯の別の例を示す側面図である。
【図８】（Ａ）〜（Ｃ）は図７のVIII―VIII線で切断した先芯の例を示す部分断面図である。
【図９】（Ａ）、（Ｂ）は、本発明に用いる先芯の別の例を示す側面図及び断面図である。
【図１０】（Ａ）、（Ｂ）は、図９の例の変形例を示す先芯の側面図である。
【符号の説明】
１                  アッパー
２                   接地底
５                   親指用先芯
５Ａ                 切欠き部
６                   四指用先芯
６Ａ                 切欠き部
【図１】
0004702728.tif 000002
【図２】
0004702728.tif 000003
【図３】
0004702728.tif 000004
【図４】
0004702728.tif 000005
【図５】
0004702728.tif 000006
【図６】
0004702728.tif 000007
【図７】
0004702728.tif 000008
【図８】
0004702728.tif 000009
【図９】
0004702728.tif 000010
【図１０】
0004702728.tif 000011